(57)【要約】【課題】一人で簡単に短時間で着ることができ、見た目も美しく、下着にかかる費用も低減できるきものシステム下着を提供する。【解決手段】肌襦袢４と裾除５を一体的に形成し、胸囲の部位６において和装ブラジャーの機能を持たせるようにしたワンピース式下着１と、中央部から両端の固定部に向かってしだいに先細となる形状の袋に腰パットを収納した袋入り補整腰パットと、下前紐と上前紐からなる１組の紐であって、上前紐は幅広でかつ伊達締めとほぼ同等の固さの伊達締め部を有する１組の紐をそれぞれ長襦袢の衿に固定した長襦袢とを備えることを特徴とするきものシステム下着。【選択図】図１
2005290632.tif 000002
【特許請求の範囲】
【請求項１】
肌襦袢と裾除を一体的に形成し、胸囲の部位において他の部位よりも伸縮性に富む布を使用することにより胸囲の部位を平らに押える和装ブラジャーの機能を持たせるようにしたワンピース式下着と、
柔軟で伸縮性があり外側の寸法が補整腰パットの寸法よりも所定の寸法だけ大きく作られている布からなり中央部から両端の固定部に向かってしだいに先細となる形状の袋に標準体型に合わせて作った柔軟な材料からなる腰パットを収納した袋入り補整腰パットと、
下前紐と上前紐からなる１組の紐であって、上前紐は該上前紐の他の部分および該下前紐よりも幅広でかつ伊達締めに近似した固さの伊達締め部を有する１組の紐をそれぞれ長襦袢の衿に固定した長襦袢
とを備えることを特徴とするきものシステム下着。
【請求項２】
該ワンピース式下着の胸囲の部位はゴム入り布地で形成されていることを特徴とする請求項１記載のきものシステム下着。
【請求項３】
該袋入り補整腰パットの袋は該補整腰パットおよび着用者の体型に応じて腰パットの厚みを変えるための補助腰パットを袋内に挿入できる腰パット挿入口を有することを特徴とする請求項１記載のきものシステム下着。
【請求項４】
該長襦袢は、衿に所定の間隔でマジックテープが固着されており、これと同一間隔でマジックテープが固着された半衿が該マジックテープにより長襦袢に着脱可能に取付けられていることを特徴とする請求項１記載のきものシステム下着。
【請求項５】
該長襦袢は、内側胸元部分に胸元補整パットが収容される袋が取付けられていることを特徴とする請求項１記載のきものシステム下着。
【請求項６】
肌襦袢と裾除を一体的に形成し、胸囲の部位において他の部位よりも伸縮性に富む布を使用することにより胸囲の部位を平らに押える和装ブラジャーの機能を持たせるようにしたことを特徴とするワンピース式下着。
【請求項７】
柔軟で伸縮性があり外側の寸法が補整腰パットの寸法よりも所定の寸法だけ大きく作られている布からなり中央部から両端の固定部に向かってしだいに先細となる形状の袋に標準体型に合わせて作った柔軟な材料からなる腰パットを収納したことを特徴とする袋入り補整腰パット。
【請求項８】
下前紐と上前紐からなる１組の紐であって、上前紐は該上前紐の他の部分および該下前紐よりも幅広でかつ伊達締めに近似した固さの伊達締め部を有する１組の紐をそれぞれ長襦袢の衿に固定したことを特徴とする長襦袢。
【発明の詳細な説明】
【技術分野】
【０００１】
本発明は、きものの下着に関し、特に一人で簡単に着られるきものの下着に関する。
【背景技術】
【０００２】
きものの下着は種類が多く、通常きものを着る場合は、足袋、和装ブラジャー、肌襦袢、裾除、腰パット（またはタオル）、長襦袢、胸紐、伊達締めの８種類の下着を一つずつ着用する必要がある。これらの下着を着るには一人で着るのは困難であり誰かに着せてもらうか着方を習わなければならない。またこれらの下着を全部着終わるには時間もかかり、その上下着の種類が多いので費用も嵩むという欠点がある。
【０００３】
これらの下着の中で長襦袢の半衿をファスナーで長襦袢にとりつけることにより着脱可能とした改良型長襦袢がある。この長襦袢は半衿が着脱できるので半衿の洗濯が簡単であるという長所があるが、伊達締めは別に使うことになり、また半衿を縫い付ける必要のない紐付きの半衿を使用する長襦袢もあるが、この半衿は長襦袢の外側を交差するので外見上の美しさにおいて従来の長襦袢に劣り、また着方に技術を要し、着方を習わないと着られないという難点がある。
【発明の開示】
【発明が解決しようとする課題】
【０００４】
本発明は、上記従来のきものの下着の問題点にかんがみなされたものであって、きものの着方に習熟した者でなくても一人で簡単に着ることができ、下着を着るのに要する時間も大幅に短縮することができる上に見た目も美しく、さらに下着にかかる費用も低減できる新規なきものシステム下着を提供しようとするものである。
【課題を解決するための手段】
【０００５】
上記目的を達成する請求項１記載のきもののシステム下着は、肌襦袢と裾除を一体的に形成し、胸囲の部位において他の部位よりも伸縮性に富む布を使用することにより胸囲の部位を平らに押える和装ブラジャーの機能を持たせるようにしたワンピース式下着と、柔軟で伸縮性があり外側の寸法が補整腰パットの寸法よりも所定の寸法だけ大きく作られている布からなり中央部から両端の固定部に向かってしだいに先細となる形状の袋に標準体型に合わせて作った柔軟な材料からなる腰パットを収納した袋入り補整腰パットと、下前紐と上前紐からなる１組の紐であって、上前紐は該上前紐の他の部分および該下前紐よりも幅広でかつ伊達締めに近似した固さの伊達締め部を有する１組の紐をそれぞれ長襦袢の衿に固定した長襦袢
とを備えることを特徴とするものである。
【０００６】
請求項２記載の発明は、該ワンピース式下着の胸囲の部位は前部がゴム入り布地で形成されていることを特徴とする請求項１記載のきものシステム下着である。
【０００７】
請求項３記載の発明は、該袋入り補整腰パットの袋は該補整腰パットおよび着用者の体型に応じて腰パットの厚みを変えるための補助腰パットを袋内に挿入できる腰パット挿入口を有することを特徴とする請求項１記載のきものシステム下着である。
【０００８】
請求項４記載の発明は、該長襦袢は、衿に所定の間隔でマジックテープが固着されており、これと同一間隔でマジックテープが固着された半衿が該マジックテープにより長襦袢に着脱可能に取付けられていることを特徴とする請求項１記載のきものシステム下着である。
【０００９】
請求項５記載の発明は、該長襦袢は、内側胸元部分に胸元補整パットが収容される袋が取付けられていることを特徴とする請求項１記載のきものシステム下着である。
【００１０】
請求項６記載の発明は、肌襦袢と裾除を一体的に形成し、胸囲の部位において他の部位よりも伸縮性に富む布を使用することにより胸囲の部位を平らに押える和装用ブラジャーの機能を持たせるようにしたことを特徴とするワンピース式下着である。
【００１１】
請求項７記載の発明は、柔軟で伸縮性があり外側の寸法が補整腰パットの寸法よりも所定の寸法だけ大きく作られている布からなり中央部から両端の固定部に向かってしだいに先細となる形状の袋に標準体型に合わせて作った柔軟な材料からなる腰パットを収納したことを特徴とする袋入り補整腰パットである。
【００１２】
請求項８記載の発明は、下前紐と上前紐からなる１組の紐であって、上前紐は該上前紐の他の部分および該下前紐よりも幅広でかつ伊達締めに近似した固さの伊達締め部を有する１組の紐をそれぞれ長襦袢の衿に固定したことを特徴とする長襦袢である。
【発明の効果】
【００１３】
本発明によれば、肌襦袢と裾除を一体的に形成しワンピース式下着とし、胸囲の部位において他の部位よりも伸縮性に富む布を使用することにより胸囲の部位を平らに押える和装ブラジャーの機能を持たせるようにしたので、従来３つの別々の下着であった肌襦袢、裾除、和装ブラジャーを洋服のブラスリップを着るのと同じ要領で誰でも一人で簡単にかつ短時間で着ることができ、時間の短縮と費用低減に役立つ。また従来の和装ブラジャーのように多数の金具が取付けてないので着用者の体に優しくフイットし、身体上多少の障害があっても着用できる。
【００１４】
また、きものは直線裁ちであるため仕上がりは筒型になることが望ましい。しかし女性の凹凸のある部位、ウエストのくびれ、ヒップの上を腰パットやタオルで補整しないとその部位にしわができ、着崩れの原因になり美しくない。従来この目的で使用されている腰パットは、標準体型に合わせて作ってあるので、長い時間着用していると、体型上の個人差によりずれ上がってタオルを挟まなければならなくなったりして見栄えが悪い。
【００１５】
本発明によれば、袋入り補整腰パットは、柔軟で伸縮性があり、外側の寸法が補整腰パットの寸法よりも所定の寸法だけ大きく作られている布からなり中央部から両端の固定部に向かってしだいに先細となる形状の袋に標準体型に合わせて作った柔軟な材料からなる腰パットを収納したものであるので、着用者の体型に合わせて補整腰パットを該所定の寸法の範囲内で袋内で移動させ、補整腰パットの袋内の位置を微調整することができ、これによって補整腰パットをより体にフイットさせることができる。この袋入り補整腰パットを腰に巻き付け袋の両端の固定部をマジックテープ等で固定することにより、袋の柔軟な布と腰パットが相俟ってなだらかな曲面が形成され、腰パットのみを直接体に装着する場合にくらべてよりぴったりと体にフイットするので、違和感がなく、また長い時間着用していてもずれることがなく、腰との一体感を可能にする筒型を維持することができる。
【００１６】
また、従来の腰パットは、両端部でマジックテープで腰パットに固定するようにしているが、腰パットを腰に巻いた時、その両端間の長さが着用者の腰まわりの寸法よりも小さいと、両端間はマジックテープでつながれているとはいえ、両端間に間隙が生じ、この部分が凹んで体型を悪くするので、この凹みにタオルを被せたりして補整する必要がある。また逆に腰に巻いた時、両端間の長さが腰まわりの寸法よりも大きいと、腰パットの両端部を重ね合わせることになり、この場合は重ね合わせた部分で腰パットが突出し体型を悪くするという欠点がある。
【００１７】
本発明によれば、袋入り補整パットは両端の固定部に向けて先細となっているので、この先細となっている２つの部分の端縁どうしをつき合わせるようにして着用者の腰に巻きつけることにより、両端部間に間隙が生じたり両端部が重なり合うことを防止することができ、タオル等を補助的に使用しなくても理想的な筒型の体型を容易に実現することができる。
【００１８】
さらに、本発明によれば、長襦袢は、下前紐と上前紐からなる１組の紐をそれぞれ長襦袢の衿に固定したものであって、上前紐は該上前紐の他の部分および該下前紐よりも幅広でかつ伊達締めに近似した固さの伊達締め部を有するように構成したので、下前紐を内側から外側に出るようにして身八口を通し、下前紐と上前紐を背中で交差させた後、前に回し、たとえばマジックテープ等で固定することにより、従来の長襦袢のように胸紐を巻いて結んだ後に伊達締めをさらに巻いて結ぶという二重の動作を１度に済ますことができ、一人で簡単に着ることができ時間も短縮できる。また紐がずれ落ちることがなく、衿元の着崩れを防止することができる。
【００１９】
以上の理由により、本発明によれば、きものの着方に習熟した者でなくても一人で簡単に着ることができ、下着を着るのに要する時間も大幅に短縮することができる上に見た目も美しく、さらに下着にかかる費用も低減できる新規なきものシステム下着を提供することができる。
【００２０】
本発明の好ましい実施態様においては、ワンピース式下着の胸囲の部位は前部がゴム入り布地で形成されているので、これによって胸囲の部位を平らに押える和装ブラジャーの機能を充分に奏することができる。
【００２１】
本発明の他の好ましい実施態様においては、袋入り補整腰パットの袋は補整腰パットおよび着用者の体型に応じて腰パットの厚みを変えるための補助腰パットを袋内に挿入できる腰パット挿入口を有する。これによって、着用者の体型に応じて、補整腰パットを袋から取出して不必要な部分を切り落としたり、補助腰パットを挿入して腰パットの厚みを調節することができ、違和感やずれを一層防止することができる。また補助腰パットを使用する場合でも補助腰パットは袋内に収納し外からは見えないので、タオルを挟んだりする従来の場合に比べて見栄えがよい。
【００２２】
本発明の他の好ましい実施態様においては、長襦袢は、衿に所定の間隔でマジックテープが固着されており、これと同一間隔でマジックテープが固着された半衿が該マジックテープにより長襦袢に着脱可能に取付けられているので、半衿の付け替えが簡単にでき、洗濯もし易く、半衿交換のための時間も短縮することができる。
【００２３】
本発明の他の好ましい実施態様においては、長襦袢は、内側胸元部分に胸元補整パットが収容される袋が取付けられているので、この袋の胸元補整パットを体型に応じて収納することにより胸元の補整を簡単に行うことができる。
【発明を実施するための最良の形態】
【００２４】
以下添付図面を参照して本発明の実施の形態について説明する。  
本発明にかかるきものシステム下着は、（１）ワンピース式下着、（２）補整腰パット、（３）長襦袢の３点セットからなる。
【００２５】
図１は、ワンピース式下着の１例を示す正面図である。ワンピース式下着１は、肌襦袢４と裾除５を一体的に形成し、胸囲の部位６において他の部位よりも伸縮性に富む布を使用することにより胸囲の部位を平らに押える和装ブラジャーの機能を持たせるようにしたものである。肌襦袢４は半袖で、前はＶネック７に形成され、後は丸首８に形成されている。肌襦袢としては半袖に限らず、図２に示すようなフレンチ袖でもよい。なお図２において図１と同一構成要素は同一符号で示す。胸囲の部位６は和装ブラジャーの機能を持たせるために伸縮性に富む布で下着の他の部分よりも肌にきつくあたるようにしてあり、このため胸囲をゴム入り布地で形成することが好ましい。このように胸囲の部位６に和装ブラジャーの機能を持たせることによりきものの半衿がずれることなく固定されるようになり着崩れを防止することができる。なお、両袖下にはむれを防ぐため身八口９が開口している。この時、身八口の身頃部分の明きは、胸の押え機能をゆるめてしまうので９ａ部分を少し（1ｃｍ程度）縫い止めておく。
【００２６】
ワンピース式下着１の素材は絹、綿、麻等の天然素材が好ましいが、ポリエステル等の化学繊維も使用することができる。
【００２７】
図３、図４および図５は、補整腰パット２を示すもので、図１は補整腰パット２を展開した状態の正面図、図２はその縦断面図、図５は補整腰パットを着用した状態を示す図である。
【００２８】
補整腰パット２は、袋１０とその中に収納された腰パット１１からなる。腰パット１１には通気性を持たせるため多数の小さい穴１１ａがあけられている。袋１０は柔軟で伸縮性のある布からなり、着用者のヒップの上にあてがわれる中央部１０ａから両端の固定部１０ｂ、１０ｃに向かってしだいに先細となる形状に形成されている。袋１０の素材は天然繊維、化学繊維のいずれでもよい。中央部１０ａの下部１０ｄは半円状に下方に張出して着用者のヒップの上にあてがわれる部分であり、中央部１０ａの上部１０ｅは下方に凹んでいて着用者の背中の窪みの上にあてがわれる部分である。中央部の下部１０ｄと図中左側の固定部１０ｂを結ぶ端縁１０ｆは中央部の上部１０ｅと図中右側の固定部１０ｃを結ぶ端縁１０ｇとほぼ平行に形成されており、また中央部の下部１０ｄと図中右側の固定部１０ｃを結ぶ端縁１０ｉは中央部の上部１０ｅと図中左側の固定部１０ｂを結ぶ端縁１０ｊとほぼ平行に形成されている。したがって、袋１０は展開された形状が全体としてほぼ平行四辺形に形成されている。
【００２９】
袋１０には補整パット１１および図２（ｂ）に示す補助腰パット１８を袋内に挿入するための腰パット挿入口を構成するスリット１２が形成されている。また袋１０の両端部１０ｂ、１０ｃは紐状に形成されており、固定部１０ｂはやや下方に屈曲して形成され、固定部１０ｃはやや上方に屈曲して形成されている。
【００３０】
固定部１０ｂの先端と固定部１０ｃの先端の間の長さは着用予定者の標準腰まわりよりも充分に長く、着用した時固定部１０ｂ、１０ｃが着用者の腰の両横に達するように設定されている。
【００３１】
固定部１０ｂの外側にはマジックテープ１３が固着されており、固定部１０ｃの内側にはマジックテープ１４が固着されており、袋１０の中央部１０ａと固定部１０ｂのほぼ中間の位置の外側下部には長手方向に長いマジックテープ１６が固着されており、袋１０の中央部１０ａと固定部１０ｃのほぼ中間の位置の内側上部には長手方向に長いマジックテープ１５が固着されている。
【００３２】
腰パット１１は、ウレタンフオーム等の柔軟な材料により袋１０の固定部１０ｂ、１０ｃを除く部分とほぼ相似形に形成されており、着用者の標準体型に合わせて着用した時理想的な筒型が形成されるように作られている。
【００３３】
着用者が標準体型の場合は、袋１０に腰パット１１を収納するだけで充分であるが、着用者が標準体型でない場合は、腰パット１１を袋１０から取出して不要な部分を切除することができる。
【００３４】
また腰パット１１で充分な厚みが出ない場合は、ウレタンフオーム等柔軟な素材からなる補助腰パット１８を腰パット挿入口１２から袋１０内に挿入して不足している厚みを足すことができる。
【００３５】
長襦袢３は、上前紐２１と下前紐２０からなる１組の紐を固定部２１ａ、２０ａにおいてそれぞれ長襦袢３の衿（図示せず）に縫い付けなどの手段により固定したこと、および上前紐２１が伊達締め部２２を備えていることを特徴とする。伊達締め部２２は上前紐２１の固定部２１ａから反対側の上前紐の約半分の長さを占め、上前紐２１の他の部分および下前紐２０よりも幅広でかつ伊達締めに近似した固さを有し、伊達締めとしての機能を発揮する。
【００３６】
上前紐２１の先端部にはマジックテープ２３が固着されており、下前紐２０の中央部には長手方向に長いマジックテープ２４が固着されている。
【００３７】
長襦袢３は、衿に所定の間隔でマジックテープ（図示せず）が固着されており、これと同一間隔でマジックテープ３１が固着された半衿３０がこれら両マジックテープにより長襦袢３に着脱可能に取付けられている。このように伊達締め部２２はフリーサイズのマジックテープ２３、２４で固定するので、一人で簡単に着用することができる。
【００３８】
また、長襦袢３は、内側胸元部分にウレタンフオーム等の胸元補整パット３６が収容される袋３５が取付けられており、この袋３５に胸元補整パット３６を体型に応じて収容することにより胸元の補整を行えるようになっている。
【００３９】
また、長襦袢３の胸にはダーツをとり衿元の貴崩れを防止するようにしてもよい。
【００４０】
次に上記構成のきものシステム下着の着方について説明する。  
まず、ワンピース式下着１を洋服のブラスリップと同じ要領で着た後、補整腰パット２を腰に巻きつける。すなわち補整腰パット２の中央部下部１０ｄを着用者のヒップの上にあてがい、図５（ａ）に示すように、平行な端縁１０ｆと端縁１０ｇが突き合わされるようにして補整腰パット２を腰に巻きつけ、マジックテープ１３をフリーサイズのマジックテープ１５の適宜の位置に固定し、マジックテープ１４をフリーサイズのマジックテープ１６の適宜の位置に固定することにより補整腰パット２の装着を完了する。この場合補整腰パット２の長さは両端縁１０ｆ、１０ｇを相互に反対方向に摺動させることによって調節できるので、補整腰パットの厚みはいかなる場合でも均一の厚みを維持することができ、従来の腰パットのように長さが足りなくて凹みができたり逆に長さが余って重ね合わせる結果厚さが過大になったりする欠点が解消される。また、袋に余裕を持たせてあるので、体型に合わせて腰パット１１の位置を微調整することができ、より体にフイットさせることができる。
【００４１】
補整腰パット２の腰パット１１が着用者の体型に合わない場合は、腰パット１１を袋１０から取出して切除したり、補助パット１８を袋１０に装填したりして調整する。
【００４２】
次に長襦袢３を着る。長襦袢３には必要に応じ胸元補整パット３６を収容しておく。また、半衿３０を長襦袢３の衿にマジックテープ３１で固定しておく。
【００４３】
長襦袢３に袖をとおした後、下前紐２０を内側から外側に身八口３７を通して背中にまわし、上前紐２１はそのまま背中に回し、両紐２０、２１を長襦袢の背中に付けてある紐通し（図示せず）の中で交差させた後、前にまわし、上前紐２１の先端のマジックテープ２３を下前紐２０フリーサイズのマジックテープ２４の適宜の位置に固定することにより長襦袢３の着用を終了する。
【００４４】
こうしてワンピース式下着１、補整腰パット２、長襦袢３の３点の下着を順次着用するだけできものシステム下着の着用が完了する。
【００４５】
なお、上記実施形態においては、補整腰パット２、上前紐２１と下前紐２０、および長襦袢の半衿３０の固定のためそれぞれマジックテープを使用しているが、これらの固定の方法としてはマジックテープに限らず、ファスナー等他の固定手段も適宜使用することができる。
【００４６】
また、補整腰パットを固定するには、マジックテープのかわりに固定部１０ｂ、１０ｃを単に袋１０の内側に挟み込むことにより固定するようにしてもよい。
【図面の簡単な説明】
【００４７】
【図１】ワンピース式下着の１例を示す正面図である。
【図２】ワンピース式下着の他の例を示す正面図である。
【図３】(ａ)は補整腰パットの正面図、（ｂ）は補助腰パットの正面図である。
【図４】補整腰パットの縦断面図である。
【図５】補整腰パットを着用した状態を示す図で（ａ）は正面図、（ｂ）は背面図、（ｃ）は側面図である。
【図６】長襦袢およびその部品を示す図で、（ａ）は長襦袢の正面図、（ｂ）は下前紐を示す図、（ｃ）は上前紐を示す図、（ｄ）は半衿を示す図、（ｅ）は胸元補整パットを示す図である。
【符号の説明】
【００４８】
１      ワンピース式下着
２      補整腰パット
３      長襦袢
４      肌襦袢
５      裾除
６      胸囲の部位
１０    袋
１１    腰パット
１２    腰パット挿入口
１０ａ  中央部
１０ｂ、１０ｃ  固定部
２０    下前紐
２１    上前紐
２２    伊達締め部
３０    半衿
３５    胸元補整パットが収容される袋
３６    胸元補整パット
【図１】
2005290632.tif 000003
【図２】
2005290632.tif 000004
【図３】
2005290632.tif 000005
【図４】
2005290632.tif 000006
【図５】
2005290632.tif 000007
【図６】
2005290632.tif 000008